【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
注入口（１１３、４１３、７１３）、管状周囲壁（１１０、２１０、３１０、４１０）、および底部（１１１、２１１、３１１、４１１）を含み、前記底部（１１１、２１１、３１１、４１１）は、前記管状周囲壁（１１０、２１０、３１０、４１０）に接続され、作動位置において、前記管状周囲壁（１１０、２１０、３１０、４１０）を重力の方向で密封する、自由流物質（４７０、５７０）の計量用の秤量容器（１００、２００、３００、４００、５００、６００、７００）であって、
前記底部（１１１、２１１、３１１、４１１）は、出口オリフィス（１１２、２１２、３１２、４１２、５１２、７１２）が形成されるように、前記秤量容器（１００、２００、３００、４００、５００、６００、７００）上に作用する外力により、および／または前記秤量容器（１００、２００、３００、４００、５００、６００、７００）上に作用する溶剤によって開口することができ、その結果、前記出口オリフィス（１１２、２１２、３１２、４１２、５１２、７１２）がその開口状態にあるとき、前記秤量容器（１００、２００、３００、４００、５００、６００、７００）を溶剤によって洗浄することができることを特徴とする、秤量容器（１００、２００、３００、４００、５００、６００、７００）。
【請求項２】
前記出口オリフィス（１１２、２１２、７１２）は、スリットとして構成され、横方向に作用する力に反応して開口するように設計された意図的な破断箇所を含むことを特徴とする、請求項１に記載の秤量容器（１００、２００、３００、４００、５００、６００、７００）。
【請求項３】
前記秤量容器は、受容容器（１９０、２９０、３９０、４９０、７９０）上に置かれた後、開口状態で前記出口オリフィス（１１２、２１２、３１２、４１２、５１２、７１２）を不可逆的に保持するように機能する、固定保持部（２１７、２６２）を含むことを特徴とする、請求項２に記載の秤量容器（１００、２００、３００、４００、５００、６００、７００）。
【請求項４】
前記外力は、前記秤量容器（１００、２００、３００、４００、５００、６００、７００）を受容容器（１９０、２９０、３９０、４９０、７９０）の入口開口部上に置く行為によって発生させることができることを特徴とする、請求項３に記載の秤量容器（１００、２００、３００、４００、５００、６００、７００）。
【請求項５】
前記底部（１１１、２１１、３１１、４１１）の少なくとも一部分は、ゴム弾性材料から構成されることを特徴とする、請求項４に記載の秤量容器（１００、２００、３００、４００、５００、６００、７００）。
【請求項６】
前記意図的な破断箇所が開口した後、横方向の力のもとで、様々な幅に開口し、さらに前記横方向の力を低減したとき様々な程度にそれ自体を閉鎖する、出口オリフィス（１１２、２１２、７１２）が適切な位置にあることを特徴とする、請求項５に記載の秤量容器（１００、２００、３００、４００、５００、６００、７００）。
【請求項７】
前記秤量容器（１００、２００、３００、４００、５００、６００、７００）は、横方向に作用する力、および／またはせん断力、および／または引裂き力を発生させる手段（２１５、２６０、２６１）をさらに含むことを特徴とする、請求項６に記載の秤量容器（１００、２００、３００、４００、５００、６００、７００）。
【請求項８】
篩（３６０）、薄膜、静止した混合要素、またはフィルタ挿入部が、前記出口オリフィス（１１２、２１２、３１２、４１２、５１２、７１２）の領域内に配置されることを特徴とする、請求項７に記載の秤量容器（１００、２００、３００、４００、５００、６００、７００）。
【請求項９】
前記秤量容器は、少なくとも１つの支持台（１４０、２４０、４４０）を含むことを特徴とする、請求項８に記載の秤量容器（１００、２００、３００、４００、５００、６００、７００）。
【請求項１０】
前記秤量容器は、前記注入口（１１３、４１３、７１３）を閉鎖し、開口および再閉鎖することができるように設計された閉鎖蓋（４３０、５３０）を備えることを特徴とする、請求項９に記載の秤量容器（１００、２００、３００、４００、５００、６００、７００）。
【請求項１１】
前記閉鎖蓋（４３０、５３０）は、気体または溶剤などの流体用の入口接続部（５３１）を含むことを特徴とする、請求項１０に記載の秤量容器（１００、２００、３００、４００、５００、６００、７００）。
【請求項１２】
用量分注デバイス（６０１）、秤（６０３）、受容容器（１９０、２９０、３９０、４９０、７９０）、および請求項１から１１のいずれか一項に記載の秤量容器（１００、２００、３００、４００、５００、６００、７００）によって溶液を調製する方法であって、
−  第１のステップにおいて、新規で未使用の秤量容器（１００、２００、３００、４００、５００、６００、７００）が、前記秤（６０３）の秤量皿（６０４）上に置かれ、
−  第２のステップにおいて、前記秤の風袋重量が測定され、
−  第３のステップにおいて、所定の量の自由流物質（４７０、５７０）が、前記用量分注デバイス（６０１）によって前記注入口（１１３、４１３、７１３）を通して前記秤量容器（１００、２００、３００、４００、５００、６００、７００）内に分注され、
−  第４のステップにおいて、前記秤量容器（１００、２００、３００、４００、５００、６００、７００）は、前記秤量皿（６０４）から取り外され、前記受容容器（１９０、２９０、３９０、４９０、７９０）の入口開口部上に置かれ、
−  第５のステップにおいて、前記出口オリフィス（１１２、２１２、３１２、４１２、５１２、７１２）は、力の作用によって、または溶解性の閉鎖体（５２０）を溶解する流体を導入することによって開口し、
−  第６のステップにおいて、前記秤量容器（１００、２００、３００、４００、５００、６００、７００）は、流体を注入することによって洗浄され、その結果、物質の全量は、前記秤量容器（１００、２００、３００、４００、５００、６００、７００）から前記受容容器（１９０、２９０、３９０、４９０、７９０）内に流されることを特徴とする、方法。
【請求項１３】
前記秤量容器（１００、２００、３００、４００、５００、６００、７００）が電子記憶媒体（１５０、４５０、５５０、６５０、７５０）を含むことを特徴とし、
−  前記第３のステップと前記第４のステップとの間で、物質に関連する情報であって、前記用量分注デバイス（６０１）内、または前記物質（４７０、５７０）を取り出した供給容器（６０２）上に配置される電子記憶媒体（６０５）内に記憶することができる情報および用量調製処理に関する情報は、前記秤量容器（１００、２００、３００、４００、５００、６００、７００）の前記電子記憶媒体（１５０、４５０、５５０、６５０、７５０）内に保存される、および／または前記秤量容器（１００、２００、３００、４００、５００、６００、７００）の識別領域内に書き込まれ、
−  前記第６のステップの後に、前記秤量容器（１００、２００、３００、４００、５００、６００、７００）の前記電子記憶媒体（１５０、４５０、５５０、６５０、７５０）内に保存される、および／または前記秤量容器の前記識別領域内に書き込まれた情報は、前記受容容器（１９０、２９０、３９０、４９０、７９０）上に配置された電子記憶媒体（７０５）内に保存される、および／または前記受容容器（１９０、２９０、３９０、４９０、７９０）の識別領域に伝送されることをさらに特徴とする、請求項１２に記載の方法。